(57)【特許請求の範囲】
【請求項１】
車両側面に設けられたドア用開口を開閉するスライドドアを備えた車両用ドア構造において、
当該車両用ドア構造はさらに、
車両上下方向に延びていて前記ドア用開口の後方側の縁となるピラーと、
前記スライドドアの内面を構成するドアインナパネルの後端部であって該スライドドアを閉じたときに前記ピラーの車外側に重なる後端部に取付けられ、該ピラーに設けられたストライカに係合して前記スライドドアを閉状態に保つドアラッチと、
前記ドアラッチと前記ドアインナパネルのうち該ドアラッチよりも車両前方の部位とをつないでいて車幅方向外側または車幅方向内側に向けて屈曲しているブラケットとを備えることを特徴とする車両用ドア構造。
【請求項２】
前記ブラケットには、屈曲に伴って折れ線が形成されていて、
前記折れ線は、車幅方向から見て、前記ピラーと前記ドアインナパネルとの見切り線に平行に延びていることを特徴とする請求項１に記載の車両用ドア構造。
【請求項３】
前記ブラケットは、前記ドアラッチと前記ドアインナパネルとをつないでいる本体と、該本体の上下の両縁から車幅方向外側または車幅方向内側に張り出したフランジとを有することを特徴とする請求項１または２に記載の車両用ドア構造。
【請求項４】
前記ブラケットは、前記ドアインナパネルに形成された窓枠下端よりも下方に位置することを特徴とする請求項１から３のいずれか１項に記載の車両用ドア構造。
【発明の詳細な説明】
【技術分野】
【０００１】
本発明は、車両側面に設けられたドア用開口を開閉するスライドドアを備えた車両用ドア構造に関するものである。
【背景技術】
【０００２】
自動車などの車両のスライドドアは、例えばその前側上部および前側下部に配置されたローラが、車両側面に設けられたレールに沿って車両前後方向にスライドすることで、ドア用開口を開閉する。一方、スライドドアは、その後側上部および後側下部において車体とは保持されていない。
【０００３】
このため、スライドドアを備えた車両では、車両衝突時に車室内の乗員あるいは荷物がスライドドアに車室内から車外側に向かって衝突する内突時において、スライドドアの後側上部および後側下部が車外側に変位する可能性がある。スライドドアが車外側に変位した場合、スライドドアと車体との間に隙間が生じてしまう。
【０００４】
特許文献１には、スライドドアの後側上部に干渉部材を配置し、さらに車体部材（Ｃピラー）に規制部材を配置したスライドドア構造が記載されている。規制部材は、スライドドアの閉状態で干渉部材に対応する位置にある。特許文献１では、内突時にスライドドアの後側が外れても、干渉部材と規制部材が係合することでスライドドアの車外側への変位を防止する、としている。
【先行技術文献】
【特許文献】
【０００５】
【特許文献１】特開２０１０−２１５０８７号公報
【発明の概要】
【発明が解決しようとする課題】
【０００６】
しかし特許文献１のスライドドア構造では、内突時に干渉部材と規制部材とが噛み合った状態となり、スライドドアが開き難くなる場合がある。このような場合、スライドドアを開き乗員を救出するような緊急時では、干渉部材や規制部材を取り外しあるいは破壊する必要があった。
【０００７】
またスライドドアには、その内面を構成するドアインナパネルの後端部などにドアラッチが取付けられている。ドアラッチは、ドア用開口部の後方側の縁となるピラーに設けられたストライカに係合する部材であり、スライドドアを閉状態に保つ。
【０００８】
ドアラッチは、車両走行時の振動や、スライドドアの開閉操作に伴う荷重が入力される。このような振動や荷重が繰り返し入力されると、ドアラッチとドアインナパネルとが剥離したり、ドアラッチの取付箇所に亀裂あるいは変形が生じたりする場合がある。この対策として、ドアラッチの取付箇所にブラケットを追加して、ドアインナパネルに対するドアラッチの取付剛性を高めることが考えられる。
【０００９】
ところがブラケットを追加した弊害として、内突時でのドアインナパネルの局所的な変形が阻害されるおそれがある。ドアインナパネルの局所的な変形が阻害されると、本来、ドアインナパネルの変形によって吸収されていた内突時の衝撃が吸収されず、ドアインナパネル全体、すなわち上部から下部にまでわたって衝撃が伝わり、ドアインナパネルの上部および下部とピラーとの間に隙間が発生するおそれがある。
【００１０】
本発明は、このような課題に鑑み、ドアラッチの取付剛性を高めつつ、内突時にドアインナパネルの上部および下部とピラーとの間に隙間が発生することを防止できる車両用ドア構造を提供することを目的としている。
【課題を解決するための手段】
【００１１】
上記課題を解決するために、本発明にかかる車両用ドア構造の代表的な構成は、車両側面に設けられたドア用開口を開閉するスライドドアを備えた車両用ドア構造において、車両用ドア構造はさらに、車両上下方向に延びていてドア用開口の後方側の縁となるピラーと、スライドドアの内面を構成するドアインナパネルの後端部であってスライドドアを閉じたときにピラーの車外側に重なる後端部に取付けられ、ピラーに設けられたストライカに係合してスライドドアを閉状態に保つドアラッチと、ドアラッチとドアインナパネルのうち後端部よりも車両前方の部位とをつないでいて車幅方向外側または車幅方向内側に向けて屈曲しているブラケットとを備えることを特徴とする。
【００１２】
ドアラッチには、車両走行時の振動や、スライドドアの開閉操作に伴う荷重が入力される。このような振動や荷重が繰り返し入力されると、ドアラッチとドアインナパネルとが剥離したり、ドアラッチの取付箇所に亀裂あるいは変形が生じたりする場合がある。そこで本発明では、ドアラッチとドアインナパネルとをつなぐブラケットを追加した。上記構成によれば、ブラケットによってドアラッチのドアインナパネルに対する取付剛性を高めることができる。
【００１３】
しかしながら、かかる剛性の高いブラケットがドアインナパネルに取り付けられると、車室内から車外側に向かってドアインナパネルに荷重が入力される内突時において、当初は許容されていたドアインナパネルの局所的な変形が許容されにくくなる。ドアインナパネルのうち後端部は、スライドドアを閉じたときにピラーに重なるため、内突を受けてもピラーによって保護され、もとより変形しない。しかしドアインナパネルのうち後端部よりも車両前方の部位は、内突を受けたときに変形することが予定されているものである。その部位に後ろ盾となるブラケットが取り付けられることで、上記のとおり、局所的な変形が阻害されるおそれがある。局所的な変形が阻害されると、当初は変形によって吸収されていた内突時の衝撃が吸収されず、ドアインナパネル全体、すなわち上部から下部にまでわたって衝撃が伝わり、ドアインナパネルの上部および下部とピラーとの間に隙間が発生するおそれがある。
【００１４】
そこで本発明では、ブラケットを車幅方向外側に向けて屈曲させた。このため、ブラケットはドアインナパネルとの間に間隙を有し、この間隙においてドアインナパネルの局所的な変形が許容される。さらにブラケットも屈曲している箇所を起点に変形できる。なおブラケットを車幅方向内側に向けて屈曲させた場合であっても、屈曲している箇所を起点に変形可能である。
【００１５】
したがって、上記構成によれば、ドアラッチの取付剛性を高めながら、そのことによって許容されにくくなるおそれのあるドアインナパネルの局所的な変形をも担保し、内突時にドアインナパネルの上部および下部とピラーとの間に隙間が発生することを防止できる。
【００１６】
上記のブラケットには、屈曲に伴って折れ線が形成されていて、折れ線は、車幅方向から見て、ピラーとドアインナパネルとの見切り線に平行に延びているとよい。これにより、ブラケットは、内突時に荷重を受けた際、ピラーとドアインナパネルとの見切り線に平行な折れ線に沿って車幅方向外側に変形し易い。よって、内突によるドアインナパネルの局所的な変形をより確実に許容できる。
【００１７】
上記のブラケットは、ドアラッチとドアインナパネルとをつないでいる本体と、本体の屈曲部の上下の両縁から車幅方向外側または車幅方向内側に張り出したフランジとを有するとよい。これにより、ブラケットは、本体の上下の両縁に沿ったフランジによって剛性が高められる。このようなブラケットによって、ドアラッチとドアインナパネルとがつながれているので、ドアインナパネルに対するドアラッチの取付剛性をより高められる。また、内突時に荷重を受けた際には、ブラケットの本体の両縁から車幅方向外側に張り出したフランジが車両上側、車両下側にそれぞれ開くように変形する。このため、ブラケットの本体が車幅方向外側に変形し、これにより内突によるドアインナパネルの局所的な変形をより十分に許容できる。なおフランジがブラケットの本体の両縁から車幅方向内側に張り出している場合であっても、ブラケットの本体は、内突時に車幅方向外側に変形可能である。
【００１８】
上記のブラケットは、ドアインナパネルに形成された窓枠下端よりも下方に位置するとよい。ここで、ドアインナパネルのうち窓枠下端よりも下方に位置する領域は、車幅方向から見て例えば車両用シートの位置と重なっているため、内突による衝撃を受ける可能性が高い。したがって、上記の領域に位置するブラケットは、内突時の衝撃を受けて車幅方向外側に確実に変形し、これによりドアインナパネルの局所的な変形を許容できる。
【発明の効果】
【００１９】
本発明によれば、ドアラッチの取付剛性を高めつつ、内突時にドアインナパネルの上部および下部とピラーとの間に隙間が発生することを防止できる車両用ドア構造を提供することができる。
【図面の簡単な説明】
【００２０】
【図１】本発明の第１の実施形態における車両用ドア構造を示す図である。
【図２】図１の車両用ドア構造のＡ領域を示す図である。
【図３】図２の車両用ドア構造の一部を拡大して示す図である。
【図４】図２の車両用ドア構造の一部を車室内側から見た状態を示す図である。
【図５】本発明の第２の実施形態における車両用ドア構造を示す図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
図１は、本発明の第１の実施形態における車両用ドア構造１００を示す図である。図中では、車両左側の車両側面１０２を車外側から見た状態を示している。以下、各図に示す矢印Ｘは車両前方を示し、矢印Ｙはそれぞれ車外側を示している。
【００２３】
車両用ドア構造１００は、スライドドア１０４を備える。スライドドア１０４は、不図示のスライド機構によって車両側面１０２に対して車両前後方向にスライド可能に支持されている。スライドドア１０４は、車両側面１０２に配置された例えばスライドドアレール１０６に沿ってスライドし、車両側面１０２に設けられたドア用開口１０８を開閉する。車両側面１０２には、ドア用開口１０８の後方側の縁であり車両上下方向に延びるピラー（Ｃピラー１１０）が設けられている。またスライドドア１０４の内部には、スライドドア１０４を閉状態に保つドアラッチ１１２が設けられている（図２参照）。
【００２４】
図２は、図１の車両用ドア構造１００のＡ領域を示す図である。ただし図中では、図１に示したスライドドア１０４の外面を構成するドアアウタパネル１１４を省略して示している。ドアラッチ１１２は、図２に示すように、スライドドア１０４の内面を構成するドアインナパネル１１６の後端部１１８に取付けられている。ドアインナパネル１１６の後端部１１８は、スライドドア１０４を閉じたときにＣピラー１１０の車外側に重なる。
【００２５】
ここでドアラッチ１１２には、車両走行時の振動や、スライドドア１０４の開閉操作に伴う荷重が入力される。このような振動や荷重が繰り返し入力されると、ドアラッチ１１２とドアインナパネル１１６とが剥離したり、ドアラッチ１１２の取付箇所に亀裂あるいは変形が生じたりする場合がある。そこで本実施形態では、ドアラッチ１１２とドアインナパネル１１６とをつなぐブラケット１２０を追加し、これによりドアラッチ１１２のドアインナパネル１１６に対する取付剛性を高めている。
【００２６】
ブラケット１２０は、図２に示すように、車両上下方向の幅を有し、車両前後方向に延びる長尺状の部材であって、ドアラッチ１１２とドアインナパネル１１６の部位１２２とをつないでいる。ドアインナパネル１１６の部位１２２は、ドアラッチ１１２が取付けられているドアインナパネル１１６の後端部１１８よりも車両前方に位置していて、スライドドア１０４を閉じたときにＣピラー１１０と重ならない。
【００２７】
またブラケット１２０は、図示のようにドアインナパネル１１６に形成された窓枠下端１２４よりも下方であって、車幅方向から見て不図示の車両用シートと重なる位置に設定されている。このような位置に設定されたブラケット１２０は、内突時、すなわち車両用シートに着座した乗員、あるいは車両用シートに置かれた荷物が車両衝突によりスライドドア１０４に車室内から車外側に向かって衝突するとき、車室内から車外側に向かって荷重を受ける可能性が高い。
【００２８】
ただしブラケットのような剛性の高い部材を単に用いるだけでは、内突時にドアインナパネル１１６の部位１２２の後ろ盾となり、ドアインナパネル１１６の局所的な変形を阻害するおそれがある。ドアインナパネル１１６の局所的な変形が阻害されると、仮にブラケットが存在しないとすればドアインナパネル１１６の変形によって吸収されるはずの内突時の衝撃が吸収されない事態となる。
【００２９】
この場合には、内突時の衝撃がドアインナパネル１１６全体、すなわち上部から下部にまでわたって伝わり、ドアインナパネル１１６の上部および下部とＣピラー１１０との間に隙間が発生するおそれがある。なお内突時に隙間が発生すると、内突時の衝撃により各種部材が変形し噛み合った状態となり、スライドドア１０４が開き難くなってしまう。その結果、スライドドア１０４を開き乗員を救出するような緊急時に、各種部材を取り外しあるいは破壊する必要がある。
【００３０】
そこで本実施形態では、ブラケット１２０によってドアラッチ１１２の取付剛性を高めながらも、内突時にドアインナパネル１１６の上部および下部とＣピラー１１０との間に隙間が発生することを防止する構成を採用した。
【００３１】
図３は、図２の車両用ドア構造１００の一部を拡大して示す図である。図中では、スライドドア１０４の閉状態でドアラッチ１１２よりも車内側に位置するＣピラー１１０の断面も示している。図４は、図２の車両用ドア構造１００の一部を車室内側から見た状態を示す図である。図４ではＣピラー１１０を構成する各部材を重ねて示している。
【００３２】
ドアラッチ１１２は、図３に示すようにドアインナパネル１１６の後端部１１８のうちラッチリンフォース１２６が取付けられた取付箇所にベースプレート１２８を介して取付けられている。ドアラッチ１１２は、Ｃピラー１１０に設けられた不図示のストライカに係合されることで、スライドドア１０４を閉状態に保つ。
【００３３】
Ｃピラー１１０は、図３の断面に示されるように、車室内側に位置するボディインナパネル１３０と、車両側面１０２の外面を構成するボディアウタパネル１３２とを含み、さらにこれらのパネル１３０、１３２の間にクォータインナブレース１３４とクォータインナリンフォース１３６とが配置されている。
【００３４】
また、図３に示すように、ボディアウタパネル１３２およびクォータインナリンフォース１３６は、互いに重ねられた状態で車幅方向に延びさらに車両前側に屈曲している。この形状に合わせて、スライドドア１０４では、ドアラッチ１１２の取付箇所において、ドアインナパネル１１６の後端部１１８、ラッチリンフォース１２６およびベースプレート１２８が重ねられながら、車幅方向に延びさらに車両前側に屈曲した形状を有している。
【００３５】
ドアラッチ１１２の一部であるベースプレート１２８は、さらに車両前側に延長されていてその前端１３８にてブラケット１２０が接合されている。ブラケット１２０はさらに、上記ドアインナパネル１１６の部位１２２に例えばボルト１４０およびナット１４２により締結されているが、これに限られず、溶接により接合されてもよい。
【００３６】
ブラケット１２０は、図３に示すように、ドアラッチ１１２とドアインナパネル１１６の部位１２２とをつなぐ本体１４４を有する。ブラケット１２０の本体１４４は、車幅方向外側に向けて屈曲していて、さらにその屈曲に伴って折れ線１４６ａ、１４６ｂが形成されている。なお本体１４４のうち屈曲している箇所を屈曲部１４７と称する。屈曲部１４７に形成された折れ線１４６ａ、１４６ｂは、車幅方向から見て、Ｃピラー１１０とドアインナパネル１１６との見切り線１４８（図４参照）に平行に延びている。このため、ブラケット１２０は、内突時に荷重を受けた際、Ｃピラー１１０とドアインナパネル１１６との見切り線１４８に平行な折れ線１４６ａ、１４６ｂに沿って車幅方向外側に変形し易い。
【００３７】
ブラケット１２０はさらに、本体１４４の屈曲部１４７の上下の両縁から車幅方向外側に張り出したフランジ１５０ａ、１５０ｂを有し、これにより剛性が高められている。このようなブラケット１２０によって、ドアラッチ１１２とドアインナパネル１１６とがつながれているので、ドアインナパネル１１６に対するドアラッチ１１２の取付剛性をより高められる。
【００３８】
また、内突時に荷重を受けた際には、ブラケット１２０の本体１４４の屈曲部１４７の両縁から車幅方向外側に張り出したフランジ１５０ａ、１５０ｂが車両上側、車両下側にそれぞれ開くように変形する。したがって、ブラケット１２０の本体１４４が車幅方向外側に変形し、これにより内突によるドアインナパネル１１６の局所的な変形をより十分に許容できる。
【００３９】
このように車両用ドア構造１００では、ドアインナパネル１１６の後端部１１８およびドアラッチ１１２は、スライドドア１０４を閉じたときにＣピラー１１０に重なるため、内突を受けてもＣピラー１１０によって保護され、変形しない。一方、ブラケット１２０は、Ｃピラー１１０に重ならないドアインナパネル１１６の部位１２２に締結されていて、内突時にその部位１２２の後ろ盾になるものの、本体１４４が車幅方向外側に向けて屈曲している。このため、ブラケット１２０は、ドアインナパネル１１６との間に間隙を有し、この間隙においてドアインナパネル１１６の局所的な変形が許容される。さらにブラケット１２０の本体１４４も屈曲している箇所を起点に変形可能となる。
【００４０】
つまり本実施形態によれば、ブラケット１２０を用いることで、ドアラッチ１１２の取付剛性を高めながら、そのことによって許容されにくくなるおそれのあるドアインナパネル１１６の局所的な変形をも担保している。したがって本実施形態によれば、ドアラッチ１１２の取付剛性を高めつつ、内突時にドアインナパネル１１６の上部および下部とＣピラー１１０との間に隙間が発生することを防止できる。
【００４１】
図５は、本発明の第２の実施形態における車両用ドア構造１００Ａを示す図である。車両用ドア構造１００Ａは、ブラケット１２０Ａの本体１４４Ａの屈曲部１４７Ａが、車幅方向内側に向けて屈曲している点で、第１の実施形態における車両用ドア構造１００と異なる。
【００４２】
ブラケット１２０Ａの本体１４４Ａは、図５に示すように、ドアラッチ１１２とドアインナパネル１１６の部位１２２とをつないでいる。本体１４４Ａの屈曲部１４７Ａには、図示のように、その屈曲に伴って折れ線１４６ｃ、１４６ｄが形成されている。折れ線１４６ｃ、１４６ｄは、上記のブラケット１２０の屈曲部１４７に形成された折れ線１４６ａ、１４６ｂと同様に、車幅方向から見て見切り線１４８（図４参照）に平行に延びている。
【００４３】
このため、ブラケット１２０Ａは、内突時に荷重を受けた際、見切り線１４８に平行な折れ線１４６ｃ、１４６ｄに沿って車幅方向外側に変形し易い。つまり、ブラケット１２０Ａは、車幅方向内側に向けて屈曲している屈曲部１４７Ａを起点に変形可能であり、ドアインナパネル１１６の局所的な変形を許容できる。
【００４４】
ブラケット１２０Ａはさらに、本体１４４Ａの屈曲部１４７Ａの上下の両縁から車幅方向外側に張り出したフランジ１５０ｃ、１５０ｄを有し、これにより剛性が高められている。また、内突時に荷重を受けた際には、フランジ１５０ｃ、１５０ｄは、車両上側、車両下側にそれぞれ開くように変形する。
【００４５】
したがって本実施形態によれば、ブラケット１２０Ａを用いることで、ドアラッチ１１２の取付剛性を高めつつ、内突時にドアインナパネル１１６の上部および下部とＣピラー１１０との間に隙間が発生することを防止できる。
【００４６】
上記各実施形態では、ブラケット１２０、１２０Ａについて、フランジ１５０ａ、１５０ｂ、１５０ｃ、１５０ｄが本体１４４、１４４Ａの屈曲部１４７、１４７Ａの上下の両縁から車幅方向外側に張り出しているとしたが、これに限定されない。すなわち内突時でのドアインナパネル１１６の局所的な変形を許容できるのであれば、一例としてフランジ１５０ａ、１５０ｂ、１５０ｃ、１５０ｄは、本体１４４の屈曲部１４７、１４７Ａの上下の両縁から車幅方向内側に張り出してもよい。
【００４７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４８】
本発明は、車両側面に設けられたドア用開口を開閉するスライドドアを備えた車両用ドア構造に利用することができる。
【符号の説明】
【００４９】
１００、１００Ａ…車両用ドア構造、１０２…車両側面、１０４…スライドドア、１０６…スライドドアレール、１０８…ドア用開口、１１０…Ｃピラー、１１２…ドアラッチ、１１４…ドアアウタパネル、１１６…ドアインナパネル、１１８…ドアインナパネルの後端部、１２０、１２０Ａ…ブラケット、１２２…部位、１２４…窓枠下端、１２６…ラッチリンフォース、１２８…ベースプレート、１３０…ボディインナパネル、１３２…ボディアウタパネル、１３４…クォータインナブレース、１３６…クォータインナリンフォース、１３８…ベースプレートの前端、１４０…ボルト、１４２…ナット、１４４、１４４Ａ…本体、１４６ａ、１４６ｂ、１４６ｃ、１４６ｄ…折れ線、１４７、１４７Ａ…屈曲部、１４８…見切り線、１５０ａ、１５０ｂ、１５０ｃ、１５０ｄ…フランジ
【図１】
0006451384.tif 000002
【図２】
0006451384.tif 000003
【図３】
0006451384.tif 000004
【図４】
0006451384.tif 000005
【図５】
0006451384.tif 000006